(57)【要約】【課題】室内空調機を提供する。【解決手段】本発明が提供する自動洗浄可能な室内空調機は、ハウジングと、２つのファンと、モータと、２つの濾過網と、熱交換器と、上蓋と、から構成され、ハウジング内部に仕切り板を設け、仕切り板上に２つの排気孔を設け、仕切り板上に複数の通孔を設け、ファンは、それぞれハウジング内のファン収容槽内に設けられ、モータは、ハウジングのモータ収容槽内に設けられ、モータの回転軸は、ファンに接続し、回転軸上に防水スリーブを套設し、濾過網は、ファン収容槽内に設けられ、熱交換器は、ハウジングの熱交換器収容槽内に設けられ、ハウジングの側壁面上に吸水口、排水口、溢水口を設け、上蓋は、ハウジングの上方に設けられ、吸気口、排気口を形成し、上蓋の吸気ガイド板内面上に殺菌灯を設け、上蓋上に熱交換器の冷媒、冷水又は熱水の注入口及び排出口を設け、洗浄液を注入可能な洗浄液注入管を設け、室外の外部空気管に接続する。【選択図】図２
2011185563.tif 000002
【特許請求の範囲】
【請求項１】
ハウジングと、２つのファンと、モータと、２つの濾過網と、熱交換器と、上蓋と、を含み、
該ハウジング内部に仕切り板を設け、該仕切り板上に２つの排気孔を設け、仕切り板上に複数の通孔を設け、仕切り板の一側に熱交換器収容槽を形成し、他側に２つのファン収容槽を形成し、２つのファン収容槽の間にモータ収容槽を設け、ハウジングの側壁面上に吸水口と、排水口と、溢水口と、を設け、
前記２つのファンは、それぞれハウジング内の２つのファン収容槽内に設けられ、該ファンの排気口は、仕切り板の排気孔に位置合わせされ、
前記モータは、ハウジングのモータ収容槽内に設けられ、該モータの二端に回転軸を設け、該回転軸は、ファンに接続し、回転軸外部は、防水スリーブを套設し、
前記２つの濾過網は、それぞれハウジングのファン収容槽内に設けられ、ファンの上方に位置する。熱交換器は、ハウジングの熱交換器収容槽内に設けられ、
前記上蓋は、ハウジングの上方に設けられ、該上蓋の一側に吸気ガイド板を設け、他側に排気ガイド板を設け、吸気ガイド板は、ハウジング上に被さり、吸気口を形成し、排気ガイド板は、ハウジング上に被さり、排気口を形成し、吸気ガイド板内壁面上に殺菌灯を設け、上蓋上面の一側辺上に熱交換器の冷媒、冷水又は熱水の注入口及び排出口を設け、洗浄液を注入可能な洗浄液注入管を設け、室外の外部空気管に接続することができる自動洗浄可能な室内空調機。
【発明の詳細な説明】
【技術分野】
【０００１】
本発明は、自動洗浄可能な室内空調機に関し、特に、ハウジング内部に水及び洗浄液を注入し、モータを起動し、ファンを連動し、水流を攪拌し、室内の空調機の内部及び内部構成部材に対して自動洗浄を行なうことができ、洗浄後の廃水が排水口から排出され、迅速且つ便利な自動洗浄を行なうことができ、除菌、除塵、消臭の効果を達成する。
【背景技術】
【０００２】
一般の室内空調機１は、螺子Ａにより天井上に固定し、図１に示すように、室内空調機１、機体１０、排気口１１、吸気口１２、濾過網１３、ファン１４、等を設けてなるが、室内空調機１は、一定時間の使用後、その内部及び内部の構成部材（ファン、濾過網、熱交換器等）は、年月を経て灰塵が堆積し、細菌の住処となり易く、室内空調機１を運転時、その内部の細菌は、気体（冷気又は暖気）と共に排気口１１から送出され、空気品質に影響を及ぼし、人体の健康に危害を加える。機体１０を洗浄する時、天井上に取り付けられた室内空調機１は、分解洗浄し難いだけでなく、重量が重く、複数の人が力を合わせて室内空調機１全体を天井から分解し、清掃を行なわなければならず、清掃完成後、天井に再度取り付け、分解清掃時に極めて困難であり且つ面倒である。従って、本発明者は、従来の室内空調機に存在する上記欠陥に鑑み、研究、改良を重ね、本発明を創造するものである。
【発明の概要】
【発明が解決しようとする課題】
【０００３】
本発明の主要な目的は、室内空調機内部及び内部の構成部材の洗浄を迅速且つ便利に自動進行し、除菌、除塵、消臭効果の自動洗浄可能な室内空調機を提供することである。
【課題を解決するための手段】
【０００４】
本発明の特徴は、ハウジングと、２つのファンと、モータと、２つの濾過網と、熱交換器と、上蓋と、を含み、該ハウジング内部に仕切り板を設け、該仕切り板上に２つの排気孔を設け、仕切り板上に複数の通孔を設け、仕切り板の一側に熱交換器収容槽を形成し、他側に２つのファン収容槽を形成し、２つのファン収容槽の間にモータ収容槽を設け、ハウジングの側壁面上に吸水口と、排水口と、溢水口と、を設ける。２つのファンは、それぞれハウジング内の２つのファン収容槽内に設けられ、該ファンの排気口は、仕切り板の排気孔に位置合わせされる。モータは、ハウジングのモータ収容槽内に設けられ、該モータの二端に回転軸を設け、該回転軸は、ファンに接続し、回転軸外部は、防水スリーブを套設する。２つの濾過網は、それぞれハウジングのファン収容槽内に設けられ、ファンの上方に位置する。熱交換器は、ハウジングの熱交換器収容槽内に設けられる。上蓋は、ハウジングの上方に設けられ、該上蓋の一側に吸気ガイド板を設け、他側に排気ガイド板を設け、吸気ガイド板は、ハウジング上に被さり、吸気口を形成し、排気ガイド板は、ハウジング上に被さり、排気口を形成し、吸気ガイド板内壁面上に殺菌灯を設け、上蓋上面の一側辺上に熱交換器の冷媒、冷水又は熱水の注入口及び排出口を設け、洗浄液を注入可能な洗浄液注入管を設け、室外の外部空気管に接続することができる。
【発明の効果】
【０００５】
本考案の自動洗浄可能な室内空調機は、洗浄時、水を吸水口からハウジング内に注入し、モータを起動し、ファンを連動し、ハウジング内部の水を水流に攪拌し、室内空調機内部及び内部構成部材に対して自動洗浄を行い、洗浄後の廃水は、排水口から排出され、除菌、除塵、消臭の効果を達成することができる。
【図面の簡単な説明】
【０００６】
【図１】従来の室内空調機の設置説明図である。
【図２】本発明の実施例の立体分解図である。
【図３】本発明の実施例の立体組み合わせ図である。
【図４】本発明の実施例の組み合わせ側面断面図である。
【図５】本発明の実施例の組み合わせ正面断面図である。
【発明を実施するための形態】
【０００７】
本発明の上記の使用目的及び効果を達成する為に採用する技術手段について、好適な実施例を挙げ、図面に併せて以下に説明する。
【０００８】
本発明の実施例は、図２〜図５に示すように、ハウジング２と、２つのファン３と、モータ４と、２つの濾過網５と、熱交換器６と、上蓋７と、を含み、該ハウジング２内に仕切り板２０を設け、該仕切り板２０上に２つの排気孔２１を設け、仕切り板２０上に複数の通孔２２を設け、仕切り板２０の一側に熱交換器収容槽２３を形成し、他側に２つのファン収容槽２４を形成し、２つのファン収容槽２４の間にモータ収容槽２５を設け、ハウジング２の側壁面上に吸水口２６と、排水口２７と、溢水口２８と、を設ける。２つのファン３は、それぞれハウジング２内の２つのファン収容槽２４内に設けられ、該ファン３の排気口３０は、仕切り板２０の排気孔２１に位置合わせされる。モータ４は、ハウジング２のモータ収容槽２５内に設けられ、該モータ４の二端に回転軸４０を設け、該回転軸４０は、ファン３に接続し、回転軸４０外部は、防水スリーブ４１を套設する。２つの濾過網５は、それぞれハウジング２のファン収容槽２４内に設けられ、ファン３の上方に位置する。熱交換器６は、ハウジング２の熱交換器収容槽２３内に斜め向きに設けられる。上蓋７は、ハウジング２の上方に設けられ、該上蓋７の一側に吸気ガイド板７０を設け、他側に排気ガイド板７１を設け、吸気ガイド板７０内壁面上に殺菌灯７２を設け、上蓋７上面の一側辺上に熱交換器６の冷媒、冷水又は熱水の注入口７３及び排出口７４を設け、洗浄液を注入可能な洗浄液注入管７５を設け、室外の外部空気管７６に接続することができる。
【０００９】
組み立て時、図２〜図５に示すように、２つのファン３をハウジング２のファン収容槽２４内に設置し、ファン３の吸気口３０を仕切り板２０の排気孔２１に位置合わせし、固定し、モータ４をハウジング２のモータ収容槽２５内に設け、回転軸４０上に防水スリーブ４１を設け、モータ４の二端の回転軸４０及び防水スリーブ４１は、それぞれハウジング２の２つのファン収容槽２４内に貫通設置され、ファン３と接続され、２つの濾過網５をそれぞれハウジング２の２つのファン収容槽２４内に設け、２つのファン３の上方に設置し、また、熱交換器６をハウジング２の熱交換器収容槽２３内に斜めに設け、上蓋７をハウジング２の上方に設け、上蓋７上において冷媒、冷水又は熱水を注入することに用いる注入口７３及び排出口７４は、熱交換器６と接続され、上蓋７上の外部空気導管７６は、ハウジング２のうちの１つのファン収容槽２４上に位置合わせされ、上蓋７とハウジング２を組み立てた後の一側に吸気口８０を形成し、他側に排気口８１を形成し、上蓋７上の外部空気ガイド管７６は、室外に接続され、このように、全体の組み立てを完成する。
【００１０】
本発明の室内空調機の使用時、モータ４の運転が２つのファン３の回転を連動し、ファン３の回転により室内の空気と外部の空気を上蓋７の吸気口８０及び外部の空気導管７６からハウジング２のファン収容槽２４内に吸入し、外部空気導管７６は、外部の空気を室内に吸入させることができ、室内の空気を清潔に保ち、吸入された空気は、先ず上蓋７の吸気ガイド板７０内壁面の殺菌灯７２に殺菌され、ファン３上方の濾過網５から濾過を行い、ファン３の排気口３０及び仕切り板２０の排気孔２１からハウジング２内の熱交換器収容槽２３中に進入し、熱交換器６を経由して空気を冷却又は加熱し、熱交換器６を経由し冷却又は加熱した空気が排気口８１から送出され、このように、室内の温度を調節する効果を達成する。
【００１１】
ハウジング２の内部及びその内部構成部材（ファン３、濾過網５、熱交換器６等）を洗浄する時、図４、図５に示すように、清水をハウジング２側壁面の吸水口２６からハウジング２内部に注入し、洗浄液を上蓋７の洗浄液注入管７５からハウジング２内に注入し、熱交換器収容槽２３内に位置する水は、仕切り板２０上の排気孔２１及び通孔２２から他側のファン収容槽２４内に流入し、ハウジング２内部及びその内部構成部材を何れも洗浄液を備えた水中に浸し（ハウジング２内の余分な水は、溢水口２８から流出する）、モータ４を起動し、ファン３の回転を連動し、ファン３の回転によりハウジング２内部の水を強力な衝撃を有する水流に攪拌し、室内の空調機内部及び内部の構成部材に対して自動洗浄を行なうことができ、洗浄後の廃水は、ハウジング２側壁面の排水口２７を経由して排出できる。このように、室内空調機を定期的且つ便利迅速に自動洗浄でき、除菌、除塵、消臭の効果を達成し、人が取り外し洗浄する必要が無く、清掃の人力及び費用を節約でき、室内空調機が送出する空気品質を随時良好に保持することができる。
【００１２】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００１３】
Ａ        螺子
１        室内空調機
１０      機体
１１      排気口
１２      吸気口
１３      濾過網
１４      ファン
２        ハウジング
２０      仕切り板
２１      排気孔
２２      通孔
２３      熱交換器収容槽
２４      ファン収容槽
２５      モータ収容槽
２６      吸水口
２７      排水口
２８      溢水口
３        ファン
３０      排気口
４        モータ
４０      回転軸
４１      防水スリーブ
５        濾過網
６        熱交換器
７        上蓋
７０      吸気ガイド板
７１      排気ガイド板
７２      殺菌灯
７３      注入口
７４      排出口
７５      洗浄液注入管
７６      外部空気導管
８０      吸気口
８１      排気口
【図１】
2011185563.tif 000003
【図２】
2011185563.tif 000004
【図３】
2011185563.tif 000005
【図４】
2011185563.tif 000006
【図５】
2011185563.tif 000007